(57)【要約】      （修正有） 【課題】一つのフレームユニットで、フェイスアウト陳列、スリーブアウト陳列、フォールテッド陳列をおこなうことができ、さらに、同時に複数の陳列をおこなうことができる陳列什器を提供する。【解決手段】什器本体１の左右一対の支柱１０の間に複数の支持桟１１をハシゴ状に設け、その支持桟１１に結合するブラケット３には上下二段のバーがあり、上のバーをフォールテッド用バー４、下のバーをフェイスアウト用バー５とする。これら二本のバーは先端部で結合され内側に空間ができる。この二本のブラケット３の間にスリーブアウト用バー６を架設する。フェイスアウト用バー５の係止用凹部９にスリーブアウト用バー６の凸部を脱着自在に嵌合させ、これら少ないパーツでフレームユニットを構成し、フォールテッド用バー４に棚板１２を乗せることで三種の陳列方法を、それぞれ行うことができ、さらに、同時に行うことができる。【選択図】図１
0003167329.tif 000002
【実用新案登録請求の範囲】
【請求項１】
什器本体の左右一対の支柱の間に複数の支持桟をハシゴ状に設け、その支持桟に結合する一対のブラケットには上下二段のバーがあり、上のバーをフォールテッド用バー、下のバーをフェイスアウト用バーとし、これら二本のバーは先端部で結合され内側に空間ができ、この一対のブラケットの間にスリーブアウト用バーをフェイスアウト用バーの係止用凹部にスリーブアウト用バーの凸部を脱着自在に嵌合し仮設させ、さらに、フォールテッド用バーに棚板などを脱着自在に装着し複数の陳列方法を同時に行うことを特徴とする陳列什器。
【考案の詳細な説明】
【技術分野】
【０００１】
本考案は、商品の陳列什器に係わり、更に詳しくは、複数の陳列方法を同時におこなう
ことができる陳列什器に関する。
【背景技術】
【０００２】
従来より、衣料品店や雑貨店等において使用されている陳列什器１４においては、左右
一対の支柱に係止孔が設けられ、各種のブラケットや、アタッチメントを係止し、各種パ
ーツを用いて形成される陳列什器がある。この陳列什器１４に商品を陳列する方法として
は、フェイスアウト陳列、スリーブアウト陳列、フォールテッド陳列の三種がある。
【０００３】
フェイスアウト陳列は図８に示すように、アタッチメント１５やパーツ１６を用いて商
品１３の前面が表を向くように吊り下げて陳列する方法であり、商品のデザインや色、素
材を見易くする事ができ、商品量が減少時において効果的である。
【０００４】
スリーブアウト陳列は図９に示すように、ハンガーブラケット１７やアタッチメントパ
イプ１８を用いて商品１３の側面が表を向くように吊り下げて陳列する方法であり、商品
の色数や、量を表現することにおいて効果的である。
【０００５】
さらに、フォールテッド陳列は図１０に示すように、棚受けブラケット１９を用いて、
その上に棚板２０を装着し商品１３を棚に載置して陳列する方法であり、ハンガー等吊り
下げることができない商品に向いている。
【０００６】
特許文献１に記載されているものにおいては、什器本体に結合させるための爪を基部に
設けた複数本のフェイスアウト用のバーと、このフェイスアウト用バーの先端間に掛け渡
して取着されるスリーブアウト用バーとで形成される兼用バー、及び、棚板を支持するた
めに兼用バーの上に載置されるフォールテッド用フレームをオプションとして用いて前記
にある陳列方法を使い分けておこなうことができるものである。
【先行技術文献】
【特許文献】
【０００７】
【特許文献１】特開平５−４９５３０号公報
【考案の概要】
【考案が解決しようとする課題】
【０００８】
しかし、上記のように、フェイスアウト陳列、スリーブアウト陳列、フォールテッド陳
列をおこなうには、それぞれ各種のブラケットやアタッチメント、パーツが必要であり、
陳列の方法を使い分ける場合には多数の種類のオプションが必要になるという問題があっ
た。
【０００９】
また、特許文献１に記載されているものにおいては、フォールテッド陳列をおこなうさ
い、フェイスアウト陳列、スリーブアウト陳列で使用する兼用バーとは別に棚板を支持す
るための新たなオプションが必要であり、棚板を支持している時点では、同時にフェイス
アウト陳列、スリーブアウト陳列ができないという不都合がある。
【００１０】
本考案は、従来の技術が有する上記のような問題点や不都合を鑑み、一つのフレームで
フェイスアウト陳列、スリーブアウト陳列、フォールテッド陳列をおこなうことができ、
さらに、同時にこの複数の陳列をおこなうことができる陳列什器を提供することを目的と
するものである。  
【課題を解決するための手段】
【００１１】
本考案による前記課題の解決は、什器本体と結合させるための断面コの字状のフックを
基部に持つブラケットは、その基部から上下二段のバーが基部から前方に向かって突出し
、上のバーをフォールテッド用バーとし、下のバーをフェイスアウト用バーとし、これら
二本のバーは先端部で結合されていることによって、フォールテッド用バーとフェイスア
ウト用バーの内側に空間ができる。
【００１２】
什器本体に所定の間隔を開けて、前記の二本のブラケットを結合させ、この二本のブラ
ケット間にスリーブアウト用バーを架設し、このスリーブアウト用バーには、前記フェイ
スアウト用バーと噛み合う凹部があり、その凹部の中に底面から突起した凸部を設け、前
記フェイスアウト用バーには係止用凹部が設けられており、この二本のブラケットのフォ
ールテッド用バーとフェイスアウト用バーの間にスリーブアウト用バーを通し入れ掛け渡
してそれぞれのフェイスアウト用バーの係止用凹部にスリーブアウト用バーの凸部を脱着
自在に嵌合させる。
【００１３】
前記ブラケットと前記スリーブアウト用バーとからフレームユニットを構成し、前記什
器本体の左右一対の支柱間に複数の支持桟がハシゴ状に構成されており、この支持桟に前
記フレームユニットを複数個上下方向に所定の間隔を開けて装着する。
【００１４】
前記複数個のフレームユニットのうち少なくとも一つのフレームユニットのフォールテ
ッド用バーの上に商品載置用の棚板等を着脱自在に装着することができる。
【考案の効果】
【００１５】
本考案によると、二本のバーを持つブラケットは、上のバーをフォールテッド用バーと
し、下のバーをフェイスアウト用バーとし先端で結合されていることによって、上下二本
のバーの間に空間を持つことができ、このブラケット二本を所定の間隔に什器本体に結合
させると、それぞれのフェイスアウト用バーにハンガー等で吊り下げた商品の前面を表に
向けて二列のフェイスアウト陳列ができる。
【００１６】
本考案によると、前記ブラケットの上下バーの間の空間にスリーブアウト用バーを着脱
自在に嵌合させることができることで、このスリーブアウト用バーにハンガー等に吊り下
げた商品の側面が表を向くようにスリーブアウト陳列が必要に応じて容易におこなうこと
ができる。
【００１７】
本考案によると、二本のブラケットと一本のスリーブアウト用バーの三つのパーツだけ
でフレームユニットを構成し、そのフレームユニットを什器本体の支持桟に着脱自在に装
着するだけなので、高さ変更や場所変更が必要に応じて容易におこなうことができる。
【００１８】
本考案によると、什器本体に装着された複数個のフレームユニットのフォールテッド用
バーの上に着脱自在に棚板等を乗せることができるので、前記のようにフェイスアウト用
バーを用いたフェイスアウト陳列、スリーブアウト用バーを用いたスリーブアウト陳列を
行っていることに関係なく、棚板等の上に商品を載置しフォールテッド陳列もおこなうこ
とができるので、必要に応じて複数の陳列方法を同時に行うことができ、また、陳列方法
の変更も迅速に行うことができる。
【図面の簡単な説明】
【００１９】
【図１】本考案、陳列什器の一実施例を示す分解斜視図である。
【図２】本考案、陳列什器に使用するブラケットの斜視図である。
【図３】本考案、陳列什器のフレームユニットを示す図で（Ａ）は、斜視図、（Ｂ）はフレームユニットの嵌合部の結合途中の正面断面図である。
【図４】本考案、陳列什器のフェイスアウト陳列の一実施例を示す斜視図である。
【図５】本考案、陳列什器のスリーブアウト陳列の一実施例を示す斜視図である。
【図６】本考案、陳列什器の三種の陳列を同時に行った一実施例を示す斜視図である。
【図７】本考案、陳列什器に使用するブラケットの結合部の他の実施形態を示す斜視図である。
【図８】従来のフェイスアウト陳列例を示す斜視図である。
【図９】従来のスリーブアウト陳列例を示す斜視図である。
【図１０】従来のフォールテッド陳列例を示す斜視図である。
【考案を実施するための形態】
【００２０】
本考案の一実施形態を添付図面を参照して説明する。図１にあるように、きわめて少な
いパーツによって什器全体が構成されている。まず、以下の実施形態を衣料品店での使用
であり、什器本体１を木製とし、ブラケット３などは鉄製として進める。
【００２１】
図１にある什器本体１は、左右一対の支柱１０の間に複数の支持桟１１がハシゴ状に構
成されており、この支持桟１１に二本のブラケット３とスリーブアウト用バー６とで構成
されたフレームユニットＦＵをブラケット３の基部にあるフック２で所定の位置に迅速に
装着する。
【００２２】
図２にあるように、フレームユニットＦＵの重要な構成パーツであるブラケット３は、
什器本体１と結合させるための断面コの字状のフック２を基部に持ち、その基部から上下
二段のバーが基部から前方に向かって突出し、上のバー４をフォールテッド用バーとし、
下のバー５をフェイスアウト用バーとし、これら二本のバー４，５は先端部で溶接により
固着結合されていることによって、フォールテッド用バー４とフェイスアウト用バー５の
内側に空間ができる。また、後述のスリーブアウト用バー６と嵌合させるための係止用凹
部９がフェイスアウト用バー５に設けてある。
【００２３】
図３にあるように、什器本体１に所定の間隔を開けて、二本のブラケット３を結合させ
、この二本のブラケット３の間にスリーブアウト用バー６を架設し、このスリーブアウト
用バー６には、前記フェイスアウト用バー５と噛み合う凹部７があり、その凹部７の中に
底面から突起した凸部８を設け、前記フェイスアウト用バー５には係止用凹部９が設けら
れており、この二本のブラケット３のフォールテッド用バー４とフェイスアウト用バー５
の間にスリーブアウト用バー６を通し入れ掛け渡してそれぞれのフェイスアウト用バー５
の係止用凹部９にスリーブアウト用バー６の凸部８を脱着自在に嵌合させる。
【００２４】
図４は、ブラケット３を二本使用したフェイスアウト陳列を示してある。まず、左のブ
ラケット３を什器本体１の所定の高さの支持桟１１にフック２で結合させる。右のブラケ
ット３は、商品１３の左右の袖端間の横幅の距離と同寸法の間隔を開けて同じ支持桟１１
に結合させ、ブラケット３のフェイスアウト用バー５に商品１３の表を前面に向けてハン
ガーで吊り下げて、二列のフェイスアウト陳列を行う。
【００２５】
このことから分かるように、什器本体１の横幅寸法は、商品１３を二列にフェイスアウ
ト陳列にした幅であり、商品１３の左右の袖幅間の二倍の寸法が、ちょうど良い什器本体
１の横幅寸法になる。
【００２６】
図５は、ブラケット３とスリーブアウト用バー６とでフレームユニットＦＵを組みスリ
ーブアウト陳列を示してある。まず、左のブラケット３を什器本体１の支持桟１１に結合
させ、右のブラケット３は、スリーブアウト用バー６にある二つの凹部７の距離と同寸法
の間隔を開けて同じ支持桟１１に結合させる。
【００２７】
次に、この二本のブラケット３の間に、スリーブアウト用バー６を通し入れ掛け渡して
それぞれのフェイスアウト用バー５の係止用凹部９にスリーブアウト用バー６の凸部８を
嵌合させ装着し、このスリーブアウト用バー６に商品１３の側面が前面を向くようにハン
ガーで吊り下げスリーブアウト陳列を行う。
【００２８】
また、高さや位置を変更する場合には、商品１３をスリーブアウト用バー６から外し、
ブラケット３を支持桟１１から外し、フレームユニットのまま移動を行うこともできる。
【００２９】
図６にあるように、本発明では、複数の陳列方法を同時におこなうことができる。前記
ブラケット３には、上下二本のバー４，５が溶接で固着されていてその間に空間ができて
いる。この事により下のバー５であるフェイスアウト用バーにフェイスアウト陳列により
ハンガーで商品１３を吊り下げている時であっても、上のバー４であるフォールテッド用
バーに図のように棚板１２を乗せ、商品を載置してフォールテッド陳列を必要に応じてお
こなうことができる。
【００３０】
さらに、図６にあるように、左のフェイスアウト用バー５にフェイスアウト陳列により
商品１３を吊り下げ、同時にスリーブアウト用バー６において、商品１３の横幅の距離だ
け右に向かったところからスリーブアウト用バー６のおおよそ半分の距離にスリーブアウ
ト陳列により商品１３を吊り下げることができる。
【００３１】
このように、三種の陳列方法を同時におこなう事もできる。もちろん、フォールテッド
陳列とフェイスアウト陳列、フォールテッド陳列とスリーブアウト陳列の二種の陳列も同
時におこなう事ができる。
【００３２】
図６にあるように、二本のブラケット３を使って棚板受けとして、フォールテッド陳列
のみに使うこともできる。
【００３３】
前記ブラケット３にあるフック２は、図７にあるようにブラケット３の基部にあるフッ
ク２は、一般的に使用されている支柱２１に係止孔２２が縦列に設けてあるものに合う爪
状のものでも良い。
【００３４】
以上、本考案について、商品を衣料品として説明したが、小さなアクセサリーやネクタ
イなどの雑貨品でも有用である。
【００３５】
また、ブラケット３などを鉄製で説明したが、樹脂成型や木製であっても良い。
【００３６】
さらに、棚板１２をフォールテッド用バー４の上に乗せただけであるが、客で込み合う
売り場や、業種であれば何かの方法で棚板１２をフォールテッド用バー４にビス止め、あ
るいは嵌合などで固着させる事により安全性を高める必要はある。
【符号の説明】
【００３７】
１  什器本体
２  フック
３  ブラケット
４  フォールテッド用バー
５  フェイスアウト用バー
６  スリーブアウト用バー
７  スリーブアウト用バーの凹部
８  スリーブアウト用バーの凸部
９  フェイスアウト用バーの係止用凹部
１０  支柱
１１  支持桟
１２  棚板
１３  商品
１４  従来の陳列什器
１５  アタッチメント
１６  パーツ
１７  ハンガーブラケット
１８  アタッチメントパイプ
１９  棚受けブラケット
２０  棚板
２１  支柱
２２  係止  
【図１】
0003167329.tif 000003
【図２】
0003167329.tif 000004
【図３】
0003167329.tif 000005
【図４】
0003167329.tif 000006
【図５】
0003167329.tif 000007
【図６】
0003167329.tif 000008
【図７】
0003167329.tif 000009
【図８】
0003167329.tif 000010
【図９】
0003167329.tif 000011
【図１０】
0003167329.tif 000012